(57)【特許請求の範囲】
【請求項１】
便座の後方かつ上方に配置され、前面が前記便座に着座した使用者がもたれかかる背当て面となるトイレ用背もたれであって、
前面上部に、上方に向かうにつれて後方に傾斜する傾斜面を有し、
前面下部に、上下方向にほぼ直立し、かつ左右中央部から左右両側に向かうにつれて前方に突出するように湾曲する湾曲面を有していることを特徴とするトイレ用背もたれ。
【請求項２】
便座の後方かつ上方に配置され、前面が背当て面となるトイレ用背もたれであって、
前面上端部の左右両側に、左右両側方に向かうにつれて後方に傾斜する退避面を有し、
前面下部に、上下方向にほぼ直立し、かつ左右中央部から左右両側に向かうにつれて前方に突出するように湾曲する湾曲面を有していることを特徴とするトイレ用背もたれ。
【請求項３】
前面の左右中央部に、上下方向に凹む窪み部を有していることを特徴とする請求項１又は２記載のトイレ用背もたれ。
【発明の詳細な説明】
【技術分野】
【０００１】
本発明は、トイレ用背もたれに関する。
【背景技術】
【０００２】
特許文献１には、便座の後方かつ上方に配置されるトイレ用の背もたれが開示されている。この背もたれは、キャビネットの前面に取り付けられ、使用者が便座に着座した状態で腰や背中をもたれかけることが可能な位置に配置されている。背もたれの前面は、全体が下になるほど手前に出てくるように傾斜する傾斜面になっている。
【先行技術文献】
【特許文献】
【０００３】
【特許文献１】特開２０１４−３４７８４号公報
【発明の概要】
【発明が解決しようとする課題】
【０００４】
上記の場合、背もたれの前面全体が傾斜面になっているため、使用者が傾斜面に寄りかかると、臀部が便座上を滑り、前ずれするおそれがある。また、背もたれの前面全体が平坦に構成されており、使用者の身体の形状や動きに対する配慮が実質的になされていないため、使用者がフィット感を得にくいという事情がある。その結果、車いすの利用者や手足の自由がきかない人にとって、この背もたれは必ずしも使い勝手のよいものではないという問題がある。
【０００５】
本発明は上記のような事情に基づいて完成されたものであって、前ずれを解消することができ、良好なフィット感で、身体の自由がきかない人にも使い勝手のよいトイレ用背もたれを提供することを目的とする。
【課題を解決するための手段】
【０００６】
本発明の第１発明は、便座の後方かつ上方に配置され、前面が背当て面となるトイレ用背もたれであって、前面上部に、上方に向かうにつれて後方に傾斜する傾斜面を有し、前面下部に、上下方向にほぼ直立し、かつ左右中央部から左右両側に向かうにつれて前方に突出するように湾曲する湾曲面を有しているところに特徴を有する。
【０００７】
本発明の第２発明は、便座の後方かつ上方に配置され、前面が背当て面となるトイレ用背もたれであって、前面上端部の左右両側に、左右両側方に向かうにつれて後方に傾斜する退避面を有し、前面下部に、上下方向にほぼ直立し、かつ左右中央部から左右両側に向かうにつれて前方に突出するように湾曲する湾曲面を有しているところに特徴を有する。
【発明の効果】
【０００８】
第１発明の場合、便座に着座した使用者が背もたれにもたれると、使用者の腰部などの背部下側が背もたれの湾曲面に沿って安定して保持される一方、傾斜面の後傾によって使用者の肩部などの背部上側の動きの自由度が担保される。
第２発明の場合、便座に着座した使用者が背もたれにもたれると、第１発明と同様に使用者の腰部などの背部下側が背もたれの湾曲面に沿って安定して保持される一方、退避面によって、使用者が背部上側を左右に移動させたりねじったりする動作や肩や腕など上肢の動きを支障なく行うことができ、動きの自由度が高められる。
したがって、第１、第２発明によれば、前ずれを解消することができ、良好なフィット感で、身体の自由がきかない人にも使い勝手がよいトイレ用背もたれが提供される。
【図面の簡単な説明】
【０００９】
【図１】本発明の実施例１に係る背もたれを含むトイレルームの斜視図である。
【図２】背もたれの斜視図である。
【図３】背もたれの側面図である。
【図４】背もたれの平面図である。
【図５】背もたれの正面図である。
【図６】図５のＡ−Ａ線断面図である。
【図７】図５のＢ−Ｂ線断面図である。
【図８】図５のＣ−Ｃ線断面図である。
【図９】図５のＤ−Ｄ線断面図である。
【図１０】背もたれの上端面を上方から見た図である。
【発明を実施するための形態】
【００１０】
本発明の好ましい実施形態を以下に示す。
第１、第２発明においては、前面の左右中央部に、上下方向に凹む窪み部を有しているとよい。これによれば、使用者の背骨が強く圧迫されることがなく、背骨に障害を負った人も痛みを感じることなく利用することができる。
【００１１】
＜実施例１＞
以下、実施例１を図面に基づいて説明する。本実施例は、図１に示すように、多目的トイレのトイレルーム９０に設置される背もたれ１０を例示している。トイレルーム９０は、下キャビネット９１の前面を覆う前壁板９２を有し、前壁板９２の前面に、便器８０が設置されている。便器８０は、壁掛け式の水洗便器であり、開閉可能な便座８１を有している。
【００１２】
背もたれ１０は、前壁板９２の前面の上部に取り付けられ、便座８１の後方かつ上方に配置されている。なお、トイレルーム９０には、背もたれ１０と便器８０以外に、便座８１に着座した使用者から見て、左側に、跳ね上げ手すり９３、トイレットペーパーホルダー９４Ａ、鏡付きの汚物流しユニット９５が配置され、右側に、固定手すり９６、トイレットホルダー９４Ａ、手洗い器９７、ダストボックスへの投入口９８、鏡付きの洗面化粧台９９が配置されている。
【００１３】
具体的には、背もたれ１０は、発泡ウレタンなどのクッション性を有する材質からなるパッドを内包し、前後方向に所定厚みを有して、前方から見て横長の長方形状をなしている。図３に示すように、背もたれ１０の後部には、背板１１が設けられている。背もたれ１０は、背板１１を介して左右一対の取付部材１２（図５を参照）が前壁板９２の前面に係止されることにより、前壁板９２に取り付け固定される。
【００１４】
背もたれ１０の前面は、使用者の背部が接する、詳細には標準体型の使用者の背部のうち肩甲骨の下側から腰部までの部位が接するように設計された、背当て面になっている。本実施例の場合、とくに車いすの利用者など身体の自由がきかない使用者に配慮し、背もたれ１０の前面に、以下に示す３次元的な凹凸が施されている。なお、以下の説明において、背もたれ１０の前面のうち、上下中央部、詳細には上下中央より若干上方となる図５のＢ−Ｂ線が示す部分を境として、下側の部分を前面下部１３とし、上側の部分を前面上部１４とする。
【００１５】
背もたれ１０の前面下部１３には、左右中央部（後述する窪み部１８が位置する部分）から左右両側方に向かうにつれて前方へ次第にせり出すように湾曲する湾曲面１５が設けられている。この湾曲面１５は、使用者の腰部に沿うような湾曲形状をなしている。
【００１６】
背もたれ１０の前面下部１３は、湾曲面１５を含め、上下方向にほぼ垂直に切り立つように直立している。このため、背もたれ１０の下部は、図６に示す断面形状をもって上下方向に一定厚みで構成されている（図３を参照）。
【００１７】
背もたれ１０の前面上部１４には、窪み部１８を除く部分に、図３に示すように、上下中央部から上方に向かうにつれて後方へ次第に傾斜する傾斜面１６が設けられている。背もたれ１０の前面上部１４と背合わせ位置にある後面上部も、同じく上方に向かうにつれて後方に傾斜する背部傾斜面１７になっている。背部傾斜面１７は、上下方向に対する傾斜角が傾斜面１６よりも小さくされている。
【００１８】
湾曲面１５は、上下中央部を跨いで前面上部１４にも形成されている。前面上部１４の湾曲面１５は、図７から図９にかけて示すように、傾斜面１６の後傾によって上方に行くほど曲率を小さくさせ、その湾曲形状を漸次解消して行くように構成される。
【００１９】
また、図２及び図１０に示すように、背もたれ１０は、前面上端部の左右両側に、左右両側方に向かうにつれて後方に傾斜する退避面１９を有している。この退避面１９は、傾斜面１６に含まれ、左右上端角部を曲面状に後退させた形態になっている。背もたれ１０の前面上部１４の左右両側は、図９から図１０にかけて示すように、前方に突出する湾曲面１５の端部から後方に凹む退避面１９へと面形状を徐々に転化させている。
【００２０】
背もたれ１０の左右中央部には、上下方向に凹む断面湾曲凹状の窪み部１８が設けられている。窪み部１８は、使用者の背骨と対応する位置に配置され、内部に背骨を逃がすことが可能となっている。この窪み部１８は、前面下部１３では上下方向に一定の深さで構成され、図７から図１０にかけて示すように、前面上部１４では傾斜面１６の後傾によって上方に行くほど深さが浅くなるように構成される。また、窪み部１８は、背もたれ１０の上下方向の全長に亘って設けられ、背もたれ１０の上下両端に開口している。
【００２１】
背もたれ１０の前面のうち、上下中央部における前面下部１３の直立領域と傾斜面１６との間、窪み部１８と湾曲面１５との間、及び窪み部１８と傾斜面１６との間は、曲面状の曲面部２１によって連ねられている。曲面部２１は、背もたれ１０の前面形状の急変を抑制し、背もたれ１０の前面に使用者の背部をソフトに接触させる役割をはたす。
【００２２】
背もたれ１０の構造は上述したとおりであり、続いて、本実施例の作用効果について説明する。
便座８１に着座した標準体型の使用者が背もたれ１０にもたれかかると、使用者の肩甲骨の下方に背もたれ１０の上端面が位置することになる。このとき、使用者の腰部付近は、背もたれ１０の湾曲面１５に沿って配置され、背もたれ１０の前面下部１３に動きを規制された状態で保持される。このため、腰部付近が安定して支持され、使用者には良好なフィット間が得られる。ここで、例えば、使用者が標準体型に比べ、やせ型、肥満型であっても、背もたれ１０のクッション性（弾性）で体型誤差を吸収することができる。
【００２３】
また、使用者の背中付近は背もたれ１０の傾斜面１６に対面して配置され、背もたれ１０の前面上部１４に倒れて寄りかかる動作が許容される。仮に、使用者が背もたれ１０の前面下部１３に寄りかかっても、湾曲面１５によって腰部付近の姿勢が安定しているため、使用者の臀部が便座８１上を前方に滑る現象（前ずれ）が起きにくい。したがって、とくに身体の自由がきかない人が前ずれして便座８１から転落するなどといった事態を未然に防止することができる。
【００２４】
また、使用者が背もたれ１０の前面上部１４に寄りかかりつつ、例えば、背中をねじるようにして手洗い器９７や投入口９８などに手を差し延べたりすると、使用者の背部上側（肩甲骨などの肩部を含む）が、退避面１９によって逃がされる。このため、肩部付近が背もたれ１０と接触せずに済み、あるいは退避面１９に沿って軽く接触するのみとなり、肩部付近を支障なく動かすことができる。また、背部上側が背もたれ１０の上端角部に角当たりすることがなく、使用者が不快を感じることもない。
【００２５】
さらに、使用者の背骨が窪み部１８の凹みに進入して逃がされるため、例えば、脊椎損傷者や腰の曲がった高齢者であっても背もたれ１０から圧迫感を感じることがなく、背骨に痛みを感じなくて済む。しかも、窪み部１８が背もたれ１０の上下方向の全長に延出して設けられているため、使用者の身長の高低に関わらず、背骨を逃がす窪み部１８のメリットを享受することができる。
【００２６】
以上説明したように、本実施例によれば、便座８１に着座した使用者が背もたれ１０にもたれると、使用者の腰部などの背部下側が背もたれ１０の湾曲面１５に沿って安定して保持される一方、傾斜面１６の後傾によって使用者の肩部などの背部上側の動きの自由度が担保されるため、前ずれを解消することができ、良好なフィット感で、身体の自由がきかない人も高い満足感を得ることができる。とくに、本実施例の場合、身長の高低、やせ型、肥満型など様々な体型の使用者が心地よく利用することができる。
【００２７】
また、背もたれ１０の前面上端部の左右両側に、左右両側方に向かうにつれて後方に傾斜する退避面１９を有しているため、使用者が背部上側を左右に移動させたりねじったりする動作を支障なく行うことができ、動きの自由度がより高められる。
【００２８】
さらに、背もたれ１０の前面の左右中央部に、上下方向に凹む窪み部１８を有しているため、使用者の背骨が強く圧迫されることが無く、背骨に障害を負った人も痛みを感じずに利用することができる。
【００２９】
＜他の実施例＞
以下、他の実施例を簡単に説明する。
（１）背もたれは、前壁板に取り付けられず、便器と一体化して設けられていてもよい。
（２）背もたれの高さが上下方向に変更可能とされ、又は／及び、背もたれの奥行きが前後方向に変更可能とされ、使用者の体型に応じて適切な位置に調整されるものであってもよい。
（３）背もたれの前面下部と前面上部との境界は、ちょうど上下中央であってもよく、あるいは、上下中央より下方の位置であってもよい。
（４）便器は、トイレルームの床面に設置される床置き式であってもよい。
（５）背もたれは、前面上部に傾斜面を有さず、前面下部に湾曲面を有しつつ前面下部から前面上部にかけて全高に亘ってほぼ直立し、前面上端部に退避面を有するように構成されていてもよい。
（６）背もたれは、前面上端部の左右両側に退避面を有さず、前面下部に湾曲面を有しつつ前面上部が上端部の左右両側を含めて略一定の傾斜角で傾斜する傾斜面で構成されていてもよい。
（７）本発明は、多目的トイレに限らず、主として健常者が利用する公衆トイレや家庭用トイレにも適用可能である。
【符号の説明】
【００３０】
１０…背もたれ
１３…前面下部
１４…前面上部
１５…湾曲面
１６…傾斜面
１８…窪み部
１９…退避面
８０…便器
８１…便座
９０…トイレルーム
【図１】
0006628600.tif 000002
【図２】
0006628600.tif 000003
【図３】
0006628600.tif 000004
【図４】
0006628600.tif 000005
【図５】
0006628600.tif 000006
【図６】
0006628600.tif 000007
【図７】
0006628600.tif 000008
【図８】
0006628600.tif 000009
【図９】
0006628600.tif 000010
【図１０】
0006628600.tif 000011